(57)【要約】  【課題】宣伝広告情報を掲載した郵便媒体について、従来よりも宣伝広告情報やくじに注意力を向けられるようにして企業の宣伝広告効果をあげられるようにし、また、容易に当選の有無を確認できるようにした郵便媒体を提供することを目的とする。  【解決手段】受取人Ｃの名前及び住所が記載される表面１ａと、差出人Ｂからのメッセージが記載される裏面１ｂとを有してなる葉書１において、表面１ａ若しくは裏面１ｂに、差出人Ｂ以外の宣伝広告主Ｅによる宣伝広告情報と、この宣伝広告主Ｅによって与えられるくじの当選情報とを記載し、このくじの当選情報が記載される当選情報エリア５１ａの上面１ａに非可逆的に当選情報を表出させうる隠蔽部材５２を設ける。この隠蔽部材５２としては、圧着シールやスクラッチ印刷などが用いられる。また、別の実施の形態では、当選情報エリア５１ａを、料金エリア２の近傍に設ける。  【選択図】  図２
2006205532.tif 000002
【特許請求の範囲】
【請求項１】
差出人から受取人に郵送される郵便媒体において、前記差出人以外の宣伝広告主による宣伝広告情報と前記宣伝広告主によって与えられるくじの当選情報とを記載し、当該当選情報の記載される当選情報エリアの上面に非可逆的に当選情報を表出させうる隠蔽部材を設けたことを特徴とする郵便媒体。
【請求項２】
前記当選情報エリアを、郵便料金印刷エリアもしくは切手貼付エリアの近傍に設けた請求項１に記載の郵便媒体。
【請求項３】
差出人から受取人に郵送される郵便媒体に対して印刷を行う郵便媒体の作成方法において、前記差出人以外の宣伝広告主の宣伝広告情報を印刷するとともに、当該宣伝広告主によって与えられるくじの当選情報を印刷し、当該当選情報の印刷される当選情報エリアの上面に非可逆的に当選情報を表出させうる隠蔽部材を設けるようにしたことを特徴とする郵便媒体の作成方法。
【請求項４】
前記当選情報を、郵便料金印刷エリアもしくは切手貼付エリアの近傍に印刷する請求項３に記載の郵便媒体の作成方法。
【発明の詳細な説明】
【技術分野】
【０００１】
本発明は、企業の宣伝広告情報などを印刷した葉書や封筒およびこれに類する郵便媒体に関するものである。
【背景技術】
【０００２】
現在、年賀状や官製葉書などは、一般に、正規の料金で郵便局やコンビニエンスストアなどで販売されている。通常、このような葉書には、表面側に、切手貼付枠や郵便番号記載枠が設けられ、裏面側に、差出人からのメッセージ記載エリアである白紙エリアが設けられている。
【０００３】
ところで、このような葉書に企業の宣伝広告情報を印刷してその広告掲載料でコストを低減するとともに、また、その宣伝広告情報によって企業の宣伝広告効果をあげられるようにしたものとして、下記の特許文献１や特許文献２に記載されるものなどが存在している。
【０００４】
この特許文献１や特許文献２に記載される葉書には、図４に示すように、切手貼付枠や郵便番号記載枠が設けられた表面の下方領域に、所定の確率で当選するくじの抽選番号１０が記載される。また、この抽選番号１０以外にも、くじが当選したか否かを確認するためのＵＲＬ１１や、くじの主催者である企業の宣伝広告欄１２などが記載される。そして、受取人が、くじの当選情報を確認する場合、その葉書に記載されたＷＷＷサーバのＵＲＬにアクセスし、或いは、特設電話番号に電話を架けて、くじの当選の有無を確認する。そして、くじに当選していた場合、その宣伝広告主から賞金又は賞品を受け取れるようにしたものである。
【特許文献１】特公２００３−１１５０６６号公報
【特許文献２】実用新案登録３０８５４６２号
【発明の開示】
【発明が解決しようとする課題】
【０００５】
しかしながら、上記特許文献１や特許文献２に記載される葉書は、インターネットや電話などを介して当選の有無を確認するものであるため、次のような問題が生ずる。
【０００６】
すなわち、一般に、葉書の紙面には、企業の宣伝広告情報として、その企業のホームページのＵＲＬや電話番号などが記載される。このような状況のもとで、葉書の下方に当選情報を確認するためのＵＲＬや電話番号などを小さく印刷していても、一見して、その企業のホームページのＵＲＬや電話番号などと錯覚されてしまい、くじを設けていたとしても、受取人などの注意力をその宣伝広告欄に向けることができない。
【０００７】
また、仮に、当選情報確認のためのＵＲＬが記載されていることを知っていたとしても、インターネットにアクセスする端末を有していない者は、その当選の有無を確認することができず、また、仮に、そのような端末を持っていたとしても、いちいちＵＲＬを入力して当選の有無を確認しなければならず手続的に面倒である。
【０００８】
更に、年賀状などの葉書は一時期に大量に受け取ることが多いので、このように大量に受け取った葉書の当選を確認する場合、どの葉書について既に当選の確認を終えたかが分からなくなってしまい、確認漏れなどが生じてしまう。
【０００９】
また、従来のように、くじの抽選番号などを葉書に印刷してしまうと、郵便配達員などにその抽選番号が見られてしまい、不正を生ずる場合がある。
【００１０】
更には、くじの主催者である宣伝広告主側としても、抽選番号を重複しないように発行しなければならず、また、当選情報を掲載するためのＷＷＷサーバも保守・管理しなければならないといった問題が生ずる。
【００１１】
そこで、本発明は上記課題に着目してなされたもので、宣伝広告情報を掲載した郵便媒体について、従来よりも宣伝広告情報やくじに注意力を向けられるようにして企業の宣伝広告効果をあげられるようにし、また、容易に当選の有無を確認できるようにした郵便媒体を提供することを目的とするものである。
【課題を解決するための手段】
【００１２】
すなわち、本発明は、上記課題を解決するために、差出人から受取人に郵送される郵便媒体において、前記差出人以外の宣伝広告主による宣伝広告情報と前記宣伝広告主によって与えられるくじの当選情報とを記載し、当該当選情報の記載される当選情報エリアの上面に非可逆的に当選情報を表出させうる隠蔽部材を設けるようにしたことを特徴とするものである。
【００１３】
このように構成すれば、通常では設けられることの少ない隠蔽部材に対して受取人の注意力を向けることができ、これに隣接した位置に記載された企業の宣伝広告情報に対しても受取人の注意力を向けることができるようになる。また、隠蔽部材を取り除くだけで当選の有無を確認することができるため、従来のように、インターネットを介して当選の有無を確認しなければならないなどといった煩わしい手続を省略することができ、また、インターネットに接続できる端末を持っていない者に対しても、当選の有無を容易に確認させることができる。更には、この隠蔽部材によって当選情報を隠すようにしているため、郵便配達員などの第三者が途中でくじを見て不正を働くといったことを防止することができる。
【００１４】
また、このような発明において、郵便料金印刷エリアもしくは切手貼付エリアの近傍に当選情報エリアを設けるようにする。
【００１５】
このように構成すれば、切手などに消印を押すと同時に当選情報にも消印を押すことが可能となり、配達後に引かれたくじのみを有効とする運用を採用した場合に、配達後にくじが引かれたか否かを容易に確認することができる。そして、配達後に当選したくじのみを有効とすることにより、配達前にくじを引いて、当選した葉書のみを抜き出し、くじに外れた葉書を全て郵便局で換金してしまうなどといった本来は好ましくない使用を防止することができるようになる。
【発明の効果】
【００１６】
本発明は、差出人から受取人に郵送される郵便媒体において、前記差出人以外の宣伝広告主による宣伝広告情報と前記宣伝広告主によって与えられるくじの当選情報とを記載し、当該当選情報の記載される当選情報エリアの上面に非可逆的に当選情報を表出させうる隠蔽部材を設けるようにしたので、通常では設けられることの少ない隠蔽部材に対して受取人の注意力を向けることができ、その隣接した位置に記載された企業の宣伝広告情報に対しても受取人の注意力を向けることができるようになる。また、隠蔽部材を取り除くだけで当選の有無を確認することができるため、従来のように、インターネットを介して当選の有無を確認しなければならないなどといった煩わしい手続を省略することができ、また、インターネットに接続できる端末を持っていない者に対しても、当選の有無を容易に確認させることができる。更に、この隠蔽部材によって当選情報を隠すようにしているため、郵便配達員などの第三者が途中でくじを見て不正を働くといったことを防止することができる。
【発明を実施するための最良の形態】
【００１７】
以下、本発明の一実施の形態について図面を参照して説明する。なお、本実施の形態では、郵便媒体として葉書１を例に挙げて説明する。図１は、この実施の形態における葉書１の販売・流通システムの概要を示したものであり、郵便局Ａから販売された葉書１が製造販売業者Ｄを介して差出人Ｂに販売され、差出人Ｂから受取人Ｃに郵送された後、その受取人Ｃがくじを引いて宣伝広告主Ｅから賞金や賞品を得るまでの流れを示した図である。また、図２は、このシステムで使用される葉書１であって、製造販売業者Ｄで印刷された葉書１の表面１ａ（図２ａ）と裏面１ｂ（図２ｂ）を示したものである。
【００１８】
この販売・流通システムにおいて、葉書１は、まず、郵便局Ａなどから広告付き葉書１の製造販売業者Ｄに一定のロットサイズで販売される。このとき、葉書１は、表面１ａ及び裏面１ｂに何も印刷されていない状態で１枚当たり５０円（平成１７年１月現在の規定料金）で製造販売業者Ｄに販売される。そして、この製造販売業者Ｄは、宣伝広告主を募集し、応募してきた宣伝広告主Ｅに対して、１枚当たり、例えば、１０円の広告掲載料を受け取って宣伝広告情報を印刷する。また、この宣伝広告情報を印刷するときに、その隣接した位置に、その宣伝広告主Ｅが主催するくじ情報を印刷し、そのくじ情報のうち、賞金や賞品を印刷した当選情報エリア５１ａの上面に非可逆的に剥離可能な隠蔽部材５２を設ける。その広告付きの葉書１は、正規料金よりも安い金額、例えば、４５円／枚〜５０円／枚で消費者（差出人Ｂ）に販売される。そして、この広告付きの葉書１を購入した消費者（差出人Ｂ）は、通常の葉書と同様に、裏面１ｂにメッセージを記入し、受取人Ｃに郵送する。この葉書１を受け取った受取人Ｃは、受け取った葉書１に設けられたくじを引くことにより、当選した賞金や賞品を宣伝広告主Ｅから受け取る。
【００１９】
このような販売・流通システムに用いられる葉書１には、図２に示すように、郵便局Ａなどで販売されている無地の葉書と同様に、表面１ａに、郵便料金や切手貼付枠を印刷した料金エリア２と、受取人Ｃの名前や住所を記載する受取人情報記載エリア３が設けられ、また、裏面１ｂには、差出人Ｂからのメッセージを記載しうるメッセージ記載エリア４が設けられる。そして、無地の葉書に製造販売業者Ｄによって、宣伝広告情報やくじ情報が印刷される。
【００２０】
第一の実施の形態においては、この葉書１の受取人情報記載エリア３の下方に、宣伝広告情報の印刷エリアである宣伝広告エリア５０と、くじ情報の印刷エリアであるくじエリア５１が設けられる。なお、図２において、破線は、各宣伝広告エリア５０やくじエリア５１のエリア範囲を概念的に示している。この宣伝広告情報としては、宣伝広告主Ｅの企業名などの他、宣伝対象となる商品名やキャッチフレーズなどが印刷される。また、くじ情報としては、そのくじの当選／非当選の情報や、当選した場合における賞金や賞品などの情報、または、当選した場合における賞金もしくは賞品の受け取り方法などが印刷される。そして、少なくとも、この賞金や賞品を印刷した当選情報エリア５１ａの上面には、一度剥がすと再び貼り付けることができない、いわゆる非可逆的な隠蔽部材５２が設けられる。この隠蔽部材５２は、三つ折り葉書１などで一般的に用いられている圧着シートや、もしくは、スクラッチ印刷などで用いられている薄い金属膜などによって構成される。また、スクラッチ印刷など以外に、粘着テープを使って隠蔽部分を非可逆的に剥離することのできるセロハンテープオフ印刷方法などを採用することもできる。また、スクラッチ印刷と同じ機能を有する方法として、例えば、インキの内部にコインよりも硬い材料を含ませ、その部分をコインで擦ったときに印刷部分にコインの金属粉を付着させて当選情報を浮き出させるといった、一種の「デマコット印刷方法」などを採用することもできる。
【００２１】
なお、隠蔽部材５２を厚い圧着紙片などで構成すると、葉書１をプリンタに収納する際に厚みにむらが生じ、葉書１の繰り出し時に紙詰まりを起こす可能性がある。このため、隠蔽部材５２として、比較的薄い圧着紙片や、もしくは、薄い金属膜などを用いるのが好ましい。
【００２２】
図３は、第二の実施の形態における葉書１の印刷例を示したものである。上記第一の実施の形態（図２）では、受取人情報記載エリア３の下方に宣伝広告情報やくじ情報を印刷しているが、第二の実施の形態では、図３に示すように、この宣伝広告情報やくじ情報を郵便料金や切手貼付枠を印刷した料金エリア２の近傍、好ましくは、料金エリア２の下方部分に設けて、消印の押下と同時にその隠蔽部材５２にも消印が押下されるようにしている。この第二の実施の形態における方法は、配達後にくじを引いた葉書１のみ有効とするような運用において特に有効となる。
【００２３】
すなわち、この葉書１は、宣伝広告主Ｅからの広告掲載料によって格安で消費者に販売されるが、このように葉書１を安く再販した場合、例えば、差出人Ｂが、くじだけを引いて、当選しなかった葉書１を郵便局Ａで換金することによった不具合が生じる場合がある。このようなケースとして、例えば、製造販売業者Ｄから４４円以下で葉書１が販売されるような場合が想定される。すなわち、現在、５０円／枚の葉書１に対しては換金手数料として５円／枚が設定されているが、製造販売業者Ｄからの販売料金が４４円以下であったとすると、差出人Ｂが４４円以下で葉書１を購入し、くじに当選した葉書１について賞金などを受け取り、外れた葉書１については４５円で換金して儲けられてしまうといった不具合が生じる。
【００２４】
このため、消印の押下された当選葉書１のみを有効とする運用などを設定しておく必要となるが、この一つの解決策として、消印の押される料金エリア２の近傍に当選情報を印刷し、くじエリア５１に消印が押下されている場合にのみ当選を有効とする。このようにすれば、配達前にその隠蔽部材５２が剥がされても、その消印の押下状態から隠蔽部材５２を剥がした時期を容易に確認することができるため、不正を防止できる。なお、この当選を有効とする仕組みについては、くじエリア５１に消印が押下されていなくても、確かに受取人Ｃが葉書１を受け取っていれば、その当選を有効なものとして良い。
【００２５】
また、このように受取人Ｃが賞金や賞品を確実に受け取れるようにするために、運用として、宣伝広告主Ｅからその当選した葉書１の受取人欄に記載された者に賞金や賞品を郵送するというようにしても良い。このようにすれば、第三者が不正に賞金や賞品を受け取るといった不正を防止することができるようになる。
【００２６】
このように上記実施の形態によれば、受取人Ｃの名前及び住所が記載される表面１ａと、差出人Ｂからのメッセージが記載される裏面１ｂとを有してなる葉書１において、その表面１ａ若しくは裏面１ｂに、差出人Ｂ以外の宣伝広告主Ｅによる宣伝広告情報と、この宣伝広告主Ｅによって与えられるくじの当選情報とを記載し、当選情報エリア５１ａの上面に非可逆的に当選情報を表出させうる隠蔽部材５２を設けるようにしたので、通常では設けられることの少ない隠蔽部材５２に対して受取人Ｃの注意力を向けることができ、その近傍に記載された企業の宣伝広告情報にも注意力を向けさせることができる。また、隠蔽部材５２を取り除くだけで当選の有無を確認することができるため、従来のように、インターネットを介して当選の有無を確認しなければならないなどといった煩わしい手続を省略することができ、また、インターネットに接続できる端末を持っていない者に対しても、当選の有無を容易に確認させることができる。更に、この隠蔽部材５２によって当選情報を隠すようにしているため、郵便配達員などの第三者が途中でくじを見て不正を働くといったことを防止することができる。
【００２７】
また、第二の実施の形態に示すように、料金エリア２の近傍に当選情報エリア５１ａを設けるようにしたので、切手に消印を押すと同時に当選情報にも消印を押させることができ、配達後に引かれたくじのみを有効とする運用において、くじを引いた時期を容易に確認することができるようになる。そして、配達後に当選したくじのみを有効とすることにより、配達前にくじを引いて、外れた葉書を全て郵便局で換金するなどといった本来は好ましくない使用を防止することができる。
【００２８】
なお、本発明は上記実施の形態に限定されることなく、種々の態様で実施することができる。
【００２９】
例えば、上記実施の形態では、一枚物の葉書１を例に挙げて説明したが、往復葉書などのような二つ折りの葉書１や、三つ折り葉書などにも適用することができる。
【００３０】
また、上記実施の形態では、葉書１の表面１ａに宣伝広告情報やくじ情報を印刷する場合について説明したが、これに限らず、裏面１ｂのメッセージ記載エリア４の一部に宣伝広告情報やくじ情報を印刷するようにしても良い。
【００３１】
更に、上記実施の形態では、郵便媒体として葉書１を例に挙げて説明したが、これに限らず、封筒などの他の郵便媒体に適用することもできる。
【図面の簡単な説明】
【００３２】
【図１】本発明の葉書の流通・販売システムの流れを示す図
【図２】本発明の一実施の形態における葉書の表面と裏面を示す図
【図３】本発明の第二の実施の形態における葉書の表面と裏面を示す図
【図４】従来例における葉書の広告情報記載例
【符号の説明】
【００３３】
１・・・葉書
１ａ・・・表面
１ｂ・・・裏面
２・・・料金エリア
３・・・受取人情報記載エリア
４・・・メッセージ記載エリア
５０・・・宣伝広告エリア
５１・・・くじエリア
５１ａ・・・当選情報エリア
５２・・・隠蔽部材
Ａ・・・郵便局
Ｂ・・・差出人
Ｃ・・・受取人
Ｄ・・・製造販売業者
Ｅ・・・宣伝広告主
【図１】
2006205532.tif 000003
【図２】
2006205532.tif 000004
【図３】
2006205532.tif 000005
【図４】
2006205532.tif 000006